(57)【特許請求の範囲】
【請求項１】
機枠と該機枠の前面に開閉自在に軸着され遊技盤が配設される本体枠とにより遊技機本体を形成し、前記遊技機本体にその前面に重なるようにして配置されかつ前記遊技盤の前面を覆う透明板保持枠を開閉自在に軸着し、前記本体枠の開放側の側端に該本体枠及び前記透明板保持枠を施錠・開錠する施錠装置を配設し、前記施錠装置には、前記本体枠の前側から鍵穴に鍵を挿入して操作するシリンダー錠が組み込まれている遊技機であって、
前記遊技機本体における上端縁部の前面に、その前面から前方へ突出して前記透明板保持枠の上端面及び後端面と本体枠との間の隙間を総て上から覆う張出部材を装着し、前記施錠装置のシリンダー錠を前記張出部材内に配置したことを特徴とする遊技機。
【発明の詳細な説明】
【技術分野】
【０００１】
本発明は、遊技者による不正行為の防止を図るようにした遊技機に関するものである。
【背景技術】
【０００２】
従来、遊技機の一種として代表的なものにパチンコ遊技機が有る。該パチンコ遊技機は、機枠と、該機枠の前面に開閉自在に軸着され遊技盤が装着される本体枠と、該本体枠の前面に開閉自在に軸着され前記遊技盤の前面を覆う透明板保持枠と、前記本体枠の開放側の側端に配設され前記本体枠及び透明板保持枠を施錠・開錠する施錠装置と、を備えている。ところで、近年のパチンコ遊技機は、遊技盤の中央に文字、数字、図柄といった情報を変動表示する変動表示装置が設けられ、その下方にパチンコ球が入賞することによって前記変動表示装置の情報を変動させる始動入賞口が配置され、更に、その下方に前記一定時間経過後に停止した情報が特定の情報（例えば、「７７７」）に揃ったとき、一定の条件の下に開閉扉を前側へ一定時間回動させると共にこれを複数回繰り返して一度に多くの入賞球を発生させる大型の入賞装置が配置されたタイプのものが主流をなしている。この種のパチンコ遊技機にあっては、近時、遊技の興趣を高めるため変動表示装置の大型化が図られており、これに伴い遊技盤、更には透明板保持枠の拡大化も進んでいる（例えば、特許文献１参照。）。
【先行技術文献】
【特許文献】
【０００３】
【特許文献１】特開２００８−８６７００号公報（第７頁段落００２６、図１、図２）
【発明の概要】
【発明が解決しようとする課題】
【０００４】
しかしながら、パチンコ遊技機はその横幅が所定の寸法に設定されており、それ以上横方向に広げることはできない。このため、窓開口を有する額縁状の透明板保持枠にあっては、遊技盤面を可能な限り広く見せるため窓開口をそれなりに大きくする必要が有ることから、該透明板保持枠における正面から見て左右側の縦枠を極限に至るまで細くしたいという要請がある。また、パチンコ遊技機にあって正面から見た右側に、本体枠の側端に位置して透明板保持枠及び本体枠を開錠・施錠する施錠装置が配置され、シリンダー錠の前端の鍵穴が前面に露出している関係から、前記透明板保持枠の右側の縦枠とシリンダー錠の位置関係が前後方向で重なることになる。このため、透明板保持枠を細くしたいという要望があるにも係わらず、透明板保持枠の内側にシリンダー錠を配置させるスペースを確保しなければならないので、透明板保持枠右側の縦枠のシリンダー錠を設けた部位はさらに細くなり、強度不足になる危険性がある。そのような部位は不正目的での侵入行為が行なわれ易く、このために板金を足して補強をすることが別途必要になることから、シリンダー錠の配置個所を選定するに苦慮しているのが現状である。
【０００５】
更に、透明板保持枠は本体枠の前面に重なるようにして配置されており、しかも、透明板保持枠の上端面と本体枠の上端面とはほぼ同じ面一になっており、透明板保持枠の後端面と本体枠との間に外部に露出する僅かな隙間が生ずる。このため、上方からその隙間に平たい工具を差し込み抉ることによりその隙間を広げて不正行為が行なわれる危険性がある。また、施錠装置のシリンダー錠が打球力調整ハンドルの比較的近傍に配置され、その鍵穴が前面に露出していると、例えば遊技者が鍵穴に鍵を挿入して不正に本体枠を開放しようとする場合、その鍵を持っている腕が打球力調整ハンドルを握っている腕と交錯して横からでは分かり難く、透明板保持枠の不正開放行為が見極めにくいという問題もある。
【０００６】
そこで、本発明は上記課題に鑑みてなされたもので、透明板保持枠における開放側の強度不足を解消すると共に、遊技機本体の上方からの不正行為やシリンダー錠への不正行為を防止するようにした遊技機を提供することを目的とするものである。
【課題を解決するための手段】
【０００７】
かかる目的を達成するため本発明の遊技機は、機枠と該機枠の前面に開閉自在に軸着され遊技盤が配設される本体枠とにより遊技機本体を形成し、前記遊技機本体にその前面に重なるようにして配置されかつ前記遊技盤の前面を覆う透明板保持枠を開閉自在に軸着し、前記本体枠の開放側の側端に該本体枠及び前記透明板保持枠を施錠・開錠する施錠装置を配設し、前記施錠装置には、前記本体枠の前側から鍵穴に鍵を挿入して操作するシリンダー錠が組み込まれている遊技機であって、前記遊技機本体における上端縁部の前面に、その前面から前方へ突出して前記透明板保持枠の上端面及び後端面と本体枠との間の隙間を総て上から覆う張出部材を装着し、前記施錠装置のシリンダー錠を前記張出部材内に配置したことを特徴とする。
【発明の効果】
【０００８】
本発明に係る遊技機は、遊技機本体における上端縁部の前面に、その前面から前方へ突出して透明板保持枠の上端面及び後端面と本体枠との間の隙間を総て上から覆う張出部材を装着してなるので、比較的弱い個所として指摘されていた透明板保持枠の上端面及び後端面と本体枠との隙間が完全に隠される。よって、遊技者が透明板保持枠と本体枠との隙間にその上から平らな工具を差し込み、その隙間を広げて不正行為を行なうといったことができなくなるという効果が有る。
【０００９】
また、施錠装置のシリンダー錠が遊技機本体の上端縁部の前面に装着された張出部材内に配置されその位置が高いので、該シリンダー錠の鍵穴に工具を挿入して不正に本体枠または透明板保持枠を開放しようとしても、その行為は腕を上方へ伸ばして行なわなければならないことから、比較的目立ち易い。よって、遊技者も不正が行ない難く、これによりそのような不正行為が防止されるという効果が有る。
【００１０】
更に、透明板保持枠にあっては、前記のようにシリンダー錠を遊技機本体の上端縁部の前面に装着した張出部材内に配置したので、該透明板保持枠を正面から見た右側の縦枠が何ら邪魔されずに張設できることになる。よって、該縦枠が細くなっても、その強度が極端に低下することがないという効果もある。
【図面の簡単な説明】
【００１１】
【図１】透明板保持枠を開いた本発明に係るパチンコ遊技機の斜視図。
【図２】パチンコ遊技機の正面図。
【図３】同側面図。
【図４】本体枠を開いて裏から見た状態のパチンコ遊技機の斜視図。
【図５】（イ）は施錠装置の斜視図、（ロ）は同側面図。
【図６】張出部材の分解斜視図。
【図７】図２のＸ−Ｘ線断面図。
【図８】図２のＹ−Ｙ線断面図。
【図９】図２のＺ−Ｚ線断面図。
【発明を実施するための形態】
【００１２】
以下、本発明に係る遊技機の最良の実施の形態を図面に基づき詳しく説明する。本発明は、パチンコ遊技機、アレンジボール遊技機、雀球遊技機、パロット機（パチンコ球を遊戯媒体として用いる回胴式遊技機）等の遊技機に適用されるが、この内、その一例としてパチンコ遊技機に適用される場合について説明する。図１は透明板保持枠を開いた本発明に係るパチンコ遊技機の斜視図、図２はパチンコ遊技機の正面図、図３は同側面図である。
【００１３】
パチンコ遊技機Ｐは、遊技機本体１と、該遊技機本体１の前面に上下の軸支部２ａ，２ｂにより開閉自在に軸着される透明板保持枠３及びこの下方に配置され同じ側に軸支部２ｂ，２ｃにより軸着される球受皿４と、からなる。遊技機本体１は、縦長長方形状の機枠５を有し、該機枠５の前面に本体枠６が開閉自在に装着される。該遊技機本体１すなわち本体枠６に、遊技盤７が着脱自在に装着される。遊技盤７の前面に、渦巻き状に敷設された内側・外側ガイドレール８ａ，８ｂにより囲われるようにして遊技領域である遊技部７ａが形成される。
【００１４】
前記遊技盤７の遊技部７ａには、その中央に文字、数字等の図柄を変動表示する変動表示装置９が配設される。また、その下方に遊技部７ａに打ち込まれた遊技球が入賞することにより変動表示装置９に表示された図柄を変動させる始動入賞口１０が配置され、更に、その下方に一度に多くの入賞球を発生する大型の入賞装置１１が配置される。そして、前記始動入賞口１０にパチンコ球が入賞することによって前記変動表示装置９の情報が一定時間変動し停止する。このときの情報が特定の情報（例えば、「７７７」）に揃ったとき、一定の条件の下に大型の入賞装置１１が一定時間開くと共にこれを複数回繰り返して一度に多くの入賞球を発生させるようにしている。図中、１２は一般の入賞口である。遊技部７ａの中央下縁に、遊技部７ａに打ち込まれたパチンコ球であっていずれの入賞口にも入賞しなかったパチンコ球をアウト球として遊技盤７の後側へ排出するアウト球口１３が設けられている。
【００１５】
透明板保持枠３は、中央に前記遊技盤７の遊技部７ａが臨む窓開口１４を開設して額縁状に形成される。また、該窓開口１４に該窓開口１４を覆うように透明なガラス板または透明な合成樹脂板を前後に一定の間隔離して平行に配置した透明板ユニット１５が取着されている。開放側の縦枠１６の裏側には、その上下部に後記する施錠装置２２の係合突片２８，２８が係合し得る係合杆１７，１７が設けられている。透明板保持枠３の正面から見た横幅寸法は本体枠６の正面から見た横幅寸法とほぼ同じに設定されるが、軸着された状態の透明板保持枠３の上端面３ａの位置は本体枠６の上端面６ａより下方に設定されている。
【００１６】
球受皿４は、本体枠６の一側に軸着される取付基板１８と、その前面に装着される球皿部１９と、から主として構成される。該球皿部１９にパチンコ遊技機Ｐの裏側に配設した球払出装置（図示せず。）から払い出されるパチンコ球が貯留され、貯留されたパチンコ球は本体枠６の前面下部に装着された打球発射装置（図示せず。）に供給される。球皿部１９の一側すなわち開放側に前記打球発射装置から発射されるパチンコ球の打球力を調整するための打球力調整ハンドル２０が取着されている。
【００１７】
そして、遊技機本体１である本体枠６における上端縁部の前面に、その前面から前方へ突出するようにして張出部材２１が装着されている。該張出部材２１により、前記透明板保持枠３の上端面３ａ及び後端面３ｂと本体枠６との間の隙間Ｓが総て上から覆われることになる。また、張出部材２１は本体枠６の上端縁部の前面に装着されるが、機枠５の上端縁部の前面に張出部材２１を装着するようにしても良い。該張出部材２１については後で詳しく説明する。
【００１８】
図４に示すように、本体枠６の開放側の端縁に本体枠６及び透明板保持枠３を施錠・開錠する施錠装置２２が配設されている。該施錠装置２２は、図５（イ）（ロ）に示すように本体枠５の側壁に固着される縦長の固定板２３を備え、該固定板２３の外側面に重なるようにして上下に摺動する可動板２４が設けられる。前記固定板２３と該可動板２４は、平板部が共に前後方向に沿って配置されている。該固定板２３の上端部に、鍵穴２５ａを前側へ向けるようにしたシリンダー錠２５が配置固定される。また、該シリンダー錠２５は、前記張出部材２１内に配置される。該シリンダー錠２５の錠軸２５ｂは後方へ突出しており、該錠軸２５ｂの後端に略三日月状のカム片２６が固着されている。一方、可動板２４の上端部の一側に固定板２３からその外側へ食み出る腕片部２７が突設されており、固定板２３の外側で前記シリンダー錠２５におけるカム片２６の上先端部２６ａと下先端部２６ｂとの間に前記腕片部２７が介入するようになっている。そして、カム片２６がいずれかの方向へ回動し、腕片部２７が上先端部２６ａにより押し下げられるか、または下先端部２６ｂにより押し上げられることにより、可動板２４が上方又は下方へ摺動するようになっている。
【００１９】
また、前記固定板２３の前端縁側の上下位置に、上向きの爪を前端に有しかつスプリング等の弾発手段（図示せず。）により常に上方へ付勢される一対の係合突片２８，２８が取着されている。これら係合突片２８，２８は、前記可動板２４が下動するのに伴い該可動板２４と係合し前記弾発手段に抗してその先端部を下げるようになっている。一方、前記固定板２３の後端縁側の上下位置に、上向きの爪を前端に有しかつスプリング等の弾発手段（図示せず。）により前端が常に上方へ付勢される一対の係合片２９，２９が軸着されている。これら係合片２９，２９は、前記可動板２４が上動するのに伴い該可動板２４と係合し前記弾発手段に抗してその先端部を下げるようになっている。
【００２０】
前記前側の一対の係合突片２８，２８は、図１に示すように透明板保持枠３の開放側の縦枠１６における裏面上下位置に設けられた係合杆１７，１７に係脱自在に係合する。また、前記後側の一対の係合片２９，２９は、図４に示すように機枠５の解放側の内面に設けられた係止杆３０，３０に係脱自在に係合する。よって、本体枠６を閉じた状態では、該本体枠６側の施錠装置２２における後側の一対の係合片２９，２９が機枠５の一対の係止杆３０，３０に係合している。一方、透明板保持枠３を閉じた状態では、本体枠６側の施錠装置２２における前側の一対の係合突片２８，２８が透明板保持枠３に設けられた一対の係合杆１７，１７に係合している。
【００２１】
そこで、例えばシリンダー錠２５の鍵穴２５ａに鍵（図示せず。）を挿入して時計回り方向に回動させると、図５（ロ）矢印に示すようにカム片２６の上側の先端部２６ａが腕片部２７を上方から押し下げて施錠装置２２の可動板２４を下動させる。これにより、前側の一対の係合突片２８，２８と透明板保持枠３側の一対の係合杆１７，１７との係合が外れ、透明板保持枠３が開放できるようになる。一方、前記鍵穴２５ａに挿入した鍵を反時計回り方向に回動させると、カム片２６の下側の先端部２６ｂが腕片部２７を下方から押し上げて施錠装置２２の可動板２４を上動させる。これにより、後側の一対の係合片２９，２９と機枠５側の一対の係止杆３０，３０との係合が外れ、本体枠６が開放できるようになる。ちなみに、前記本体枠６や透明板保持枠３は開放させた状態から、それぞれそのまま後方へ押し込むのみで、係合突片２８や係合片２９が係合杆１７や係止杆３０に自動的に係合するようになっている。
【００２２】
前記張出部材２１は、横長状に形成される左右一対の電飾部材３３ａ，３３ｂと、その前側に位置して該電飾部材３３ａ，３３ｂを覆う前カバー部材３４と、前記各電飾部材３３ａ，３３ｂの裏側に配置される配線基板３５と、該配線基板３５の裏側を覆う後カバー部材３６と、該後カバー部材３６の裏側の一側に取着される制御基板３７と、該制御基板３７の裏面を覆う第二後カバー部材３８とからなる。
【００２３】
前記電飾部材３３ａ，３３ｂは、前側に透光性のランプ飾り３９ａ，３９ｂが配置され、これらランプ飾り３９ａ，３９ｂが後側で発光するＬＥＤといった発光体４０が発光することにより所望の色で照らし出されるようになっている。配線基板３５の前面には、前記ランプ飾り３９ａ，３９ｂに対応してＬＥＤ４０が多数取着されている。前カバー部材３４はその前側壁３４ａが透明又は半透明の透光性の素材により成形されており、しかも、前後に波打つように湾曲してデザイン性を高めるようにしている。また、その後端面は開放されている。この前側壁３４ａの一側すなわち開放側に前記シリンダー錠２５前端面の鍵穴２５ａが臨む透孔４１ａが開設される。同様に、前記配線基板３５における同じ側に前記透孔４１ａと連通する第二透孔４１ｂが開設され、後カバー部材３８にも同様に同じ側に第二透孔４１ｂと連通する第三透孔４１ｃが開設されている。４３は、前カバー部材３４の一側すなわち透孔４１ａ側に開設された横長の通孔であり、該通孔４３に前記一方の電飾部材３３ｂのランプ飾り３９ｂが挿通される。
【００２４】
そして、電飾部材３３ａ，３３ｂの前側に前カバー部材３４を被着すると共に、該電飾部材３３ａ，３３ｂの後面に多数のＬＥＤ４０を配置した配線基板３５を宛がう。更に、その後側に後カバー部材３６を被着し、その後側の一側に制御基板３７を取着すると共に、該制御基板３７をその後側から第二カバー部材３８により被着する。このようにして組み立てられた張出部材２１を、図１、図２、図７に示すように本体枠６の上端縁部の前面に装着する。該本体枠６の上端縁部の前面には必要個所に凹穴部６ｂが形成されており、第二後カバー部材３８やシリンダー錠２５が該凹穴部６ｂ内に入れられるようになっている。また、該張出部材２１は、本体枠６の正面から見て左右方向の幅と同じ長さを有する。張出部材２１の下端面２１ａと透明板保持枠３の上端面３ａとの間隔は僅かしかなく、透明板保持枠３の上端面３ａであって正面から見て左右方向の総てが張出部材２１によって上から覆われる。同時に、透明板保持枠３における後端面３ｂと本体枠６との間の隙間Ｓも総て張出部材２１によって上から覆われる。
【００２５】
このように、本発明に係るパチンコ遊技機Ｐは、遊技機本体１である本体枠６における上端縁部の前面に、その前面から前方へ突出して透明板保持枠３の上端面３ａ及び後端面３ｂと本体枠６との間の隙間Ｓを総て上から覆う張出部材２１を装着するようにしたので、比較的弱い個所として指摘されていた透明板保持枠３の上端面３ａ及び後端面３ｂと本体枠６との隙間Ｓが完全に隠される。よって、遊技者が透明板保持枠３と本体枠６との隙間Ｓにその上から平らな工具を差し込んでその隙間Ｓを広げて不正行為を行なうことが不可能になる。
【００２６】
また、図８に示すように施錠装置２２のシリンダー錠２５が遊技機本体１である本体枠６の上端縁部の前面に装着された張出部材２１内に配置されその位置が高くなるので、該シリンダー錠２５の鍵穴２５ａに工具を挿入して不正に本体枠６または透明板保持枠３を開放しようとしても、その行為は腕を上方へ伸ばして行なわなければならないことから、比較的目立ち易い。よって、遊技者も不正が行ない難く、その発見もし易い。
【００２７】
更に、図７、図８に示すように張出部材２１における下端面２１ａに、該前カバー部材３４を正面から見て左右方向に沿って前端面が開放され後方へ窪むようにして凹条部４４が形成され、透明板保持枠３の上端に後方へ突出し前記凹条部４４に遊嵌する凸条辺部４５が設けられている。そして、透明板保持枠３を閉めたとき、前記張出部材２１の凹条部４４に凸条辺部４５が遊嵌することになる。これにより、張出部材２１の下端面２１ａと透明板保持枠３の上端面３ａとの間の隙間が塞がれ、しかも、仮に前側からその隙間に細線や薄いセル板といった不正具を差し込み、遊技盤７の前面に這わせようとしても、前記不正具は凹条部４４と凸条辺部４５との間のクランク上の隙間を通すことになるので、極めて難しく、これによっても不正行為が防止される。
【００２８】
更にまた、透明板保持枠３にあっては、前記のようにシリンダー錠２５を遊技機本体１の上端縁部の前面に装着した張出部材２１内に配置したので、該透明板保持枠３を正面から見た右側の縦枠１６が何ら邪魔されずに張設できることになり、該縦枠１６が細くなってもその強度が極端に低下することがない。
【符号の説明】
【００２９】
１              遊技機本体
３              透明板保持枠
３ａ            上端面
３ｂ            後端面
５              機枠
６              本体枠
７              遊技盤
２１            張出部材
２２            施錠装置
２５            シリンダー錠
２５ａ          鍵穴
Ｐ              遊技機（パチンコ遊技機）
Ｓ              隙間
【図１】
0005385739.tif 000002
【図２】
0005385739.tif 000003
【図３】
0005385739.tif 000004
【図４】
0005385739.tif 000005
【図５】
0005385739.tif 000006
【図６】
0005385739.tif 000007
【図７】
0005385739.tif 000008
【図８】
0005385739.tif 000009
【図９】
0005385739.tif 000010